(57)【特許請求の範囲】
【請求項１】
複数のノード装置で構成されるネットワークと該ノード装置を管理する網管理装置を有するネットワークシステムにおけるノード装置であって、
該ノード装置に接続される隣接ノード装置の内、前記網管理装置で管理されていない、新たに始動した隣接ノード装置からその隣接ノード装置を示す識別子を受信したときに、既設通信リンクを介して網管理装置宛にその識別子を通知する通知手段を備えた
ことを特徴とするノード装置。
【請求項２】
複数のノード装置で構成されるネットワークと該ノード装置を管理する網管理装置を有するネットワークシステムにおけるノード装置であって、
該ノード装置に接続される隣接ノード装置の始動を所定の頻度で監視し、前記隣接ノード装置の始動が識別されたときに、既設通信リンクを介して網管理装置宛に前記隣接ノード装置を示す識別子を通知する通知手段と
を備えたことを特徴とするノード装置。
【請求項３】
複数のノード装置で構成されるネットワークと該ノード装置を管理する網管理装置を有するネットワークシステムにおけるノード装置であって、
該ノード装置に接続される隣接ノード装置の内、既存のノード装置の識別子が格納された記憶手段と、
前記隣接ノード装置の内、始動した隣接ノード装置からその隣接ノード装置を示す識別子が受信されたときに、この識別子が前記記憶手段に格納されているか否かを判別し、その判別の結果が偽であるときに、既設通信リンクを介して網管理装置宛に前記受信された識別子を通知する通知手段と
を備えたことを特徴とするノード装置。
【請求項４】
複数のノード装置で構成されるネットワークと該ノード装置を管理する網管理装置を有するネットワークシステムにおけるノード装置であって、
該ノード装置に接続される隣接ノード装置の内、既存のノード装置の識別子が格納された記憶手段と、
前記隣接ノード装置の始動を所定の頻度で監視し、前記隣接ノード装置の始動が識別されたときに、前記始動が識別された隣接ノード装置を示す識別子が前記記憶手段に格納されているか否かを判別し、その判別の結果が偽であるときに、既設通信リンクを介して網管理装置宛に前記始動が識別された隣接ノード装置を示す識別子を通知する通知手段と
を備えたことを特徴とするノード装置。
【発明の詳細な説明】
【０００１】
【発明の属する技術分野】
本発明は、網を構成する伝送区間の節点において、所定の通信制御を行うノード装置と、そのノード装置の管理を系構成に基づいて行う網管理装置とに関する。
【０００２】
【従来の技術】
広域に亘って形成された網では、その網が区分されてなる個々の伝送区間の節点に配置されたノード装置によって伝送区間毎の負荷や機能の分散が図られ、かつ信頼性および伝送品質が安定に高く維持されている。
また、これらのノード装置および伝送区間は、適宜冗長に構成され、かつ上位の網管理装置が保守や運用の手順に基づいて行う監視制御の下で機能や負荷分散の形態が適宜変更され、あるいは増設、改修および撤去が図られる。
【０００３】
図１１は、網管理装置の配下で作動するノード装置が備えられた網の一例を示す図である。
図において、伝送区間６１-1〜６１-(N-1)の節点には、ノード装置６２-1〜６２-Nがそれぞれ配置され、これらのノード装置６２-1〜６２-Nの内、ノード装置６２-1には、通信リンク６３を介して網管理装置６４が接続される。なお、伝送区間６１-1〜６１-(N-1)については、以下では、簡単のため、ＳＤＨ(Synchronous Digital Hierarchy)が適用された無線伝送路として構成されると仮定する。
【０００４】
このような構成の網では、例えば、伝送区間６１-1〜６１-(N-1)がノード装置６２-Nを介して延長されることによってなる伝送区間６２-Nの末端に新たなノード装置６２-e（以下、単に「増設ノード装置」という。）が接続された後には、そのノード装置６２-eの増設は下記の手順に基づいて達成される。
【０００５】
網管理装置６４では、増設ノード装置６２-eにかかわる下記の情報が所定の端末を介して手動によって入力され、かつ既定のデータベースに登録される（図１２(1))。
・  設置されるべき位置を示す「位置情報」
・  付与されたユニークな「アドレス」（ここでは、簡単のため、「ＮＳＡＰ(Network Service Access Point)アドレス」であると仮定する。）
・  増設ノード装置６２-eの機能や、稼働の形態を示す「種別情報」（増設ノード装置６２-eの機種であってもよい。）
さらに、網管理装置６４は、増設ノード装置６２-eとの間に通信セッションを確立し（図１２(2))、その通信セッションを介して増設ノード装置６２-e宛に、上述した「位置情報」、「アドレス」および「種別情報」を問い合わせる（図１２(3))。
【０００６】
なお、このような通信セッションについては、ノード装置６２-1〜６２-Nが行う中継の下で、通信リンク６３および伝送区間６１-1〜６１-Nに形成されたパスとして確立されるが、本発明の特徴には関係がなく、かつ多様な公知技術が適用されることによって実現されるので、ここでは、その説明を省略する。
【０００７】
増設ノード装置６２-eは、このような問い合わせを識別すると、自局の「位置情報」、「アドレス」および「種別情報」を含む応答を生成し、上述した通信セッションを介して網管理装置６４宛に、この応答を送出する（図１２(4))。
網管理装置６４は、この応答に含まれる「位置情報」、「アドレス」および「種別情報」と、上述したデータベースに先行して登録された「位置情報」、「アドレス」および「種別情報」とを比較し、両者が一致したか否かを判別する（図１２(5))。
【０００８】
さらに、網管理装置６４は、このような判別の結果が真である場合に限って、下記の処理を行う。
・  上述した「種別情報」に適応した機能や性能が増設ノード装置６２-eに具備されるために、その増設ノード装置６２-eに与えられるべき情報（以下、単に「属性情報」という。）を生成する（図１２(6))。
【０００９】
・  上述した通信セッションを介して増設ノード装置６２-e宛に、この「属性情報」を送出する（図１２(7))。
・  増設ノード装置６２-eを現用の要素（資源）として系構成に組み込み、かつ管理の対象とする（図１２(8))。
・  増設ノード装置６２-eを示すアイコン（オブジェクト)(以下、「新規アイコン」という。）を生成する（図１２(9))。
【００１０】
・  既設のノード装置６２-1〜６２-Nを個別に示すアイコンと共に、上述した新規アイコンを所定の表示端末の画面に表示する（図１２(10))。
・  操作者が所定のＧＵＩ(Graphic User Interface)に基づいて行う操作に応じて、上記の画面上における新規アイコンのレイアウトの変更と、隣接ノード装置６２-Nを示すアイコンとこの新規アイコンとの連結とにかかわる表示の変更を支援する（図１２(11))。
【００１１】
このような従来例（以下、「第一の従来例」という。）では、増設ノード装置６２-eは、網の管理に携わる者によって操作される網管理装置６４の主導の下で系構成に組み込み、かつ上述した「属性情報」を取得することによって所定の機能や性能を具備する。
なお、上述した第一の従来例に類似する先行技術には、例えば、下記の技術がある。
【００１２】
・  網管理装置６４は、特願平１１−１３７０２９号公報に形成されるように、その網管理装置６４に備えられた既述のデータベースに登録されていない増設ノード装置６２-eが始動時に発した「イベント通知」に応じて、既述の処理（図１２(1))を起動し、かつ「第一の従来例」と同様の手順に基づいて増設ノード６２-eと連係することによって、その増設ノード６２-eの増設を達成する。なお、以下では、このような従来例については、簡単のため、「第二の従来例」という。
【００１３】
・  網管理装置６４は、ＵＳＰ５１８５８６０に掲載されるように、増設されたノード装置を所定の周期で探索し、何らかの増設ノード（ここでは、簡単のため、符号「６２-e」で示されると仮定する。）が識別されたときに、その増設ノード６２-eにかかわる処理を既述の「第一の従来例」に準じた手順に基づいて行う。以下、このような従来例については、簡単のため、「第三の従来例」という。
【００１４】
【発明が解決しようとする課題】
ところで、上述した第一の従来例では、増設ノード装置６２-eの運用の開始は、その増設ノード６２-eと網管理装置６４とがそれぞれ設置され、かつ互いに地理的に隔たったサイトに個別に「網の管理に携わる要員」がこれらのサイトに個別に赴き、かつオーダワイヤ等を介して互いに連係しなければ、達成されなかった。
また、増設ノード装置６２-eの「アドレス」については、例えば、桁数が「２０」と多いにもかかわらず、その増設ノード装置６２-eが設置されたサイトに赴いた要員によって手動で設定されるために、誤った値が設定される可能性がある。
【００１５】
しかし、このようにして設定された「アドレス」の誤りは、一般に、速やかには把握され難く、増設ノード装置６２-eの増設にかかわる作業が煩雑化する要因となっていた。
さらに、網管理装置６４では、増設ノード装置６２-eを示すアイコンの配置は、大半の場合において、その網管理装置６４を操作する要員によって変更されなければならない。したがって、ノード装置の増設は、必要な作業が煩雑であり、その作業の工数が大きいために、必ずしも効率的には達成されていなかった。
【００１６】
また、上述した第二の従来例では、増設ノード装置６２-eの増設にかかわる処理が開始されるべき契機は、網管理装置６４によって自立的に識別される。しかし、これらの増設ノード装置６２-eおよび網管理装置６４が設置されたサイトで既述の要員が行うべき作業の大半については、既述の「属性情報」の設定にかかわる処理の省略が許容されない限り、省力化は図られなかった。
【００１７】
さらに、上述した第三の従来例では、増設ノードの探索にかかわる情報の伝送によって各伝送区間のトラヒックが平均的に増加する。
したがって、ランニングコストが増加してサービス品質が低下すると共に、増設や将来的な付加価値の向上および機能の変更に制約が生じる可能性が高く、かつ既述の何れの課題も基本的には解決されなかった。
【００１８】
本発明は、基本的な構成が大幅に変更されることなく、安価に、かつ効率的に確度高くノード装置の増設が達成され、その増設に伴う作業の簡略化と工数の大幅な削減とが図られるノード装置を提供することを目的とする。
【００１９】
【課題を解決するための手段】
請求項１に記載の発明は、複数のノード装置で構成されるネットワークと該ノード装置を管理する網管理装置を有するネットワークシステムにおけるノード装置であって、該ノード装置に接続される隣接ノード装置の内、前記網管理装置で管理されていない、新たに始動した隣接ノード装置からその隣接ノード装置を示す識別子を受信したときに、既設通信リンクを介して網管理装置宛にその識別子を通知する通知手段を備える。
請求項２に記載の発明は、複数のノード装置で構成されるネットワークと該ノード装置を管理する網管理装置を有するネットワークシステムにおけるノード装置であって、該ノード装置に接続される隣接ノード装置の始動を所定の頻度で監視し、前記隣接ノード装置の始動が識別されたときに、既設通信リンクを介して網管理装置宛に前記隣接ノード装置を示す識別子を通知する通知手段とを備える。
請求項３に記載の発明は、複数のノード装置で構成されるネットワークと該ノード装置を管理する網管理装置を有するネットワークシステムにおけるノード装置であって、
該ノード装置に接続される隣接ノード装置の内、既存のノード装置の識別子が格納された記憶手段と、前記隣接ノード装置の内、始動した隣接ノード装置からその隣接ノード装置を示す識別子が受信されたときに、この識別子が前記記憶手段に格納されているか否かを判別し、その判別の結果が偽であるときに、既設通信リンクを介して網管理装置宛に前記受信された識別子を通知する通知手段とを備える。
請求項４に記載の発明は、複数のノード装置で構成されるネットワークと該ノード装置を管理する網管理装置を有するネットワークシステムにおけるノード装置であって、該ノード装置に接続される隣接ノード装置の内、既存のノード装置の識別子が格納された記憶手段と、前記隣接ノード装置の始動を所定の頻度で監視し、前記隣接ノード装置の始動が識別されたときに、前記始動が識別された隣接ノード装置を示す識別子が前記記憶手段に格納されているか否かを判別し、その判別の結果が偽であるときに、既設通信リンクを介して網管理装置宛に前記始動が識別された隣接ノード装置を示す識別子を通知する通知手段とを備える。
以下、本発明に関連する技術の原理を説明する。
図１は、本発明に関連した第１ないし第４の技術が適用されたノード装置の原理ブロック図である。
本発明に関連した第１の技術では、インタフェース手段１１は、隣接するノード１０-1〜１０-Nとの間に個別に形成されたリンクとのインタフェースをとる。通信制御手段１２は、上述したインタフェース手段１１およびリンクを介するトラヒックの伝送にかかわる通信制御を行う。通知手段１５は、上述したノード１０-1〜１０-Nの内、始動したノードからそのノードを示す識別子が受信されたときに、通信リンク１３を介して網管理装置１４宛にその識別子を通知する。
【００２０】
すなわち、網管理装置１４は、新たに始動したノードがそのノードの識別子をこの網管理装置１４宛に通知しない場合であっても、本発明にかかわるノード装置が介在することによって、人手を介することなく自動的にこのノード装置を系構成に組み込み、かつ資源として管理の対象とすべき契機を確度高く識別することができる。
【００２１】
したがって、ノードの故障、障害からの復旧、増設および移設に適応した保守や運用にかかわる作業の大幅な簡略化と効率化とが図られる。
本発明に関連した第２の技術では、インタフェース手段１１は、隣接するノード１０-1〜１０-Nとの間に個別に形成されたリンクとのインタフェースをとる。通信制御手段１２は、上述したインタフェース手段１１およびリンクを介するトラヒックの伝送にかかわる通信制御を行う。通知手段１５Ａは、上述した隣接するノード１０-1〜１０-Nの始動を所定の頻度で監視し、これらのノード１０-1〜１０-Nの何れかの始動が識別されたときに、通信リンク１３を介して網管理装置１４宛にそのノードを示す識別子を通知する。
【００２２】
すなわち、網管理装置１４は、新たに始動したノードが自立的にそのノードの識別子を出力しない場合であっても、本発明にかかわるノード装置が介在することによって、人手を介することなく自動的にこのノード装置を系構成に組み込み、かつ資源としての管理の対象とする契機を確度高く識別することができる。
したがって、故障や障害から復旧し、または増設され、もしくは移設されたノード装置の多様な機能や機種に対する適応が確度高く達成され、このようなノードの保守や運用にかかわる作業の簡略化と効率化とが柔軟に図られる。
【００２３】
本発明に関連した第３の技術では、インタフェース手段１１は、隣接するノード１０-1〜１０-Nとの間に個別に形成されたリンクとのインタフェースをとる。通信制御手段１２は、上述したインタフェース手段１１およびリンクを介するトラヒックの伝送にかかわる通信制御を行う。記憶手段１６には、上述した隣接するノード１０-1〜１０-Nの内、既存のノードの識別子が格納される。通知手段１５Ｂは、上述した隣接するノード１０-1〜１０-Nの内、始動したノードからそのノードを示す識別子が受信されたときに、この識別子が記憶手段１６に格納されているか否かを判別し、その判別の結果が偽であるときに、通信リンク１３を介して網管理装置１４宛にこの識別子を通知する。
【００２４】
すなわち、新たに始動したノードの識別子は、そのノードの識別子が上述した記憶手段１６に登録されていない場合に限って、網管理装置１４宛に通知される。
したがって、故障や障害から復旧し、または増設され、もしくは移設されたノード装置が何らかの要因により無用に反復してそのノード装置の識別子を送出する場合であっても、ノード１０-1〜１０-Nや網管理装置１４の過負荷に併せて、これらのノード１０-1〜１０-Nの間に形成されたリンクの輻輳が確度高く回避される。
【００２５】
本発明に関連した第４の技術では、インタフェース手段１１は、隣接するノード１０-1〜１０-Nとの間に個別に形成されたリンクとのインタフェースをとる。通信制御手段１２は、上述したインタフェース手段１１およびリンクを介するトラヒックの伝送にかかわる通信制御を行う。記憶手段１６には、上述した隣接するノード１０-1〜１０-Nの内、既存のノードの識別子が格納される。通知手段１５Ｃは、隣接するノード１０-1〜１０-Nの始動を所定の頻度で監視し、これらのノード１０-1〜１０-Nの何れかの始動が識別されたときに、このノードを示す識別子が記憶手段１６に格納されているか否かを判別し、その判別の結果が偽であるときに、通信リンク１３を介して網管理装置１４宛にこの識別子を通知する。
【００２６】
すなわち、新たに始動したノードが自立的にそのノードの識別子を出力しない場合であっても、このノードの識別子は、上述した記憶手段１６に登録されていない場合に限って、網管理装置１４宛に通知される。
したがって、故障や障害から復旧し、または増設され、もしくは移設されたノードが通知手段１５Ｃによって行われる監視に応じて際限なく反復してそのノードの識別子を送出する場合であっても、ノード１０-1〜１０-Nや網管理装置１４の過負荷に併せて、これらのノード１０-1〜１０-Nの間に形成されたリンクの輻輳が確度高く回避される。
【００２７】
図２は、本発明に関連した第５の技術が適用された網管理装置の原理ブロック図である。
本発明に関連した第５の技術では、系構成手段２３は、網２０に備えられた第一のノード２１によって通知された識別子に応じて、その識別子で示され、この第一のノード２１に隣接する第二のノード２２をその網２０の系構成に組み込む。管理手段２４は、このようにして系構成に組み込まれた全てのノードを管理する。系構成手段２３は、第一のノード２１によって上述した識別子が通知されたときに、その旨に併せて、この識別子に応じて更新された網２０の系構成を操作者に通知する。
【００２８】
すなわち、新たに始動した第二のノードがその第二のノードの識別子を本発明にかかわる網管理装置宛に通知しない場合であっても、上述した第一のノード装置が介在する限り、人手を介することなく自動的に、かつ確度高くこの第二のノード装置は系構成に組み込まれ、かつ資源として管理の対象となる。
したがって、ノードの故障や障害からの復旧、増設および移設に適応した保守や運用にかかわる作業の大幅な簡略化と効率化とが図られる。
【００２９】
本発明に関連した第１ないし第４の技術の下位概念の技術では、既述の隣接するノード１０-1〜１０-Nの内、始動したノードを示す情報の宛先は、本発明にかかわるノード装置以外の装置に設定される。通知手段１５、１５Ａ、１５Ｂ、１５Ｃは、上述した宛先の如何にかかわらず既述の始動したノードを示す識別子を識別する。
すなわち、新たに始動したノードの識別子は、そのノードによって本発明にかかわるノード装置宛に直接通知されない場合であっても、通知手段１５、１５Ａ、１５Ｂ、１５Ｃによって識別され、かつ網管理装置１４に通知される。
【００３０】
したがって、網管理装置１４によって系構成に組み込まれ、かつ資源として管理され得るノードの構成や仕様の拡大が図られる。
本発明に関連した第５の技術の下位概念の技術では、系構成手段２３は、網２０の系構成の更新の許否を操作者に問い合わせ、その結果に従う。
すなわち、新たに始動したノードは、保守や運用にかかわる作業に携わる操作者の許可の下で系構成に組み込まれ、あるいはその系構成から除外される。
【００３１】
したがって、このような系構成の更新が全面的に自動的に行われる場合に比べて、保守や運用にかかわる作業の形態に対する柔軟な適応が可能となる。
本発明に関連した第５の技術に関連した第１の技術では、系構成手段２３は、網２０の系構成の更新が操作者によって許容されたときに、その操作者によって与えられた情報をこの系構成の更新に適用する。
【００３２】
すなわち、新たに始動したノードは、上述した操作者によって許容された場合に限って系構成に組み込まれ、あるいはその系構成から除外され、この操作者によって与えられた情報に適応した形態で作動する。
したがって、保守や運用にかかわる作業の形態に対する柔軟な適応がさらに図られる。
【００３３】
本発明に関連した第５の技術に関連した第２の技術では、系構成手段２３は、第一のノードを示す第一のオブジェクトと、その第一のオブジェクトの近傍に配置され、かつ網２０の系構成に組み込まれた第二のノードを示す第二のオブジェクトとからなる視覚情報を出力する。
すなわち、新たに始動した第二のノードは、その第二のノードに隣接する第一のノードを示す第一のオブジェクトの近傍に配置された第二のオブジェクトで表され、かつ視覚情報として出力される。
【００３４】
したがって、このような第二のノードは、新たに系構成に組み込まれたときには、その第二のノードに実体的に隣接する第一のリンクとの関連性にほぼ忠実な系構成として視覚的に示される。
本発明に関連した第５の技術に関連した第３の技術では、系構成手段２３は、第二のオブジェクトを第一のオブジェクトに連結されたオブジェクトとして出力する。
【００３５】
すなわち、新たに始動した第二のノードは、その第二のノードに隣接する第一のノードを示す第一のオブジェクトの近傍に配置され、かつ実体的な系構成にほぼ忠実な視覚情報として表示される。
したがって、第二のノードが新たに系構成に組み込まれた後に、系構成を示す視覚情報が修正される確率やその視覚情報の修正にかかわる作業の削減が図られる。
【００３６】
本発明に関連した第５の技術に関連した第４の技術では、系構成手段２３は、第一のオブジェクトと第二のオブジェクトとの連結を維持しつつ、これらのオブジェクトの相対位置の変更を可能とするマンマシンインタフェースをとる。
すなわち、第二のノードが系構成に組み込まれた後に、最新の系構成を示す視覚情報が適正化され、あるいは修正される過程では、実体的な系構成に忠実な第一のオブジェクトと第二のオブジェクトとの間の連結が自動的に保全され、両者を改めて連結する作業は不要となる。
【００３７】
したがって、保守や運用にかかわる作業の簡略化および効率化に併せて、工数の削減が図られる。
【００３８】
【発明の実施の形態】
以下、図面に基づいて本発明の実施形態について詳細に説明する。
以下、本発明の第一の実施形態について説明する。
本実施形態の特徴は、隣接ノード装置６２-N、増設ノード装置６２-eおよび網管理装置６４が後述する手順に基づいて行う処理の手順にある。
図３は、本発明の第一および第二の実施形態における隣接ノード装置の動作フローチャートである。
【００３９】
図４は、本発明の第一および第二の実施形態における増設ノード装置の動作フローチャートである。
図５は、本発明の第一ないし第四の実施形態における網管理装置の動作フローチャートである。
図６は、本発明の第一および第二の実施形態の動作を説明する図である。
【００４０】
以下、図３〜図６および図１１を参照して本発明の第一の実施形態の動作を説明する。
網管理装置６４の主記憶、あるいは外部記憶の所定の記憶領域には、図７に示すように、図１１に示す網の構成要素毎に個別に対応し、かつ該当する構成要素にかかわる下記のフィールドを個別に有するレコードの集合として構成された系構成テーブル４１が配置される。
【００４１】
・  該当する構成要素を示す識別子が格納される「識別子」フィールド
・  その構成要素の状態が格納される「ステータス」フィールド
・  この構成要素の種類その他の属性が格納される「種別」フィールド
・  予め付与されたユニークなＮＳＡＰアドレス(Network Service Access Point Address)が格納される「アドレス」フィールド
さらに、網管理装置６４の主記憶あるいは外部記憶の他の記憶領域には、図８に示すように、上述した識別子毎に、該当する識別子で示される構成要素が所望の形態で稼働するためにこの構成要素に適宜配信され、あるいは適用されるべきパラメータその他の「属性情報」が格納された属性情報テーブル４２が配置される。
【００４２】
なお、以下に記述される全ての実施形態については、簡単のため、従来例と同様に、伝送区間６１-1〜６１-(N-1)がノード装置６２-Nの後続する伝送区間６２-Nに延長され、その伝送区間６２-Nの末端に新たなノード装置６２-e（以下、単に「増設ノード装置」という。）が増設されると仮定する。
【００４３】
増設ノード装置６２-eは、始動時には、伝送区間６２-Nを介してノード装置（以下、増設ノード装置６２-eに隣接し、かつ直近のノードに該当するので、単に「隣接ノード装置」）６２-N宛に、下記の事項を示す「ハローパケット」を送出する（図４(1)、図６(1))。
・  自局が始動したこと
・  自局が設置された位置である「位置情報」
・  自局に付与されたユニークな「アドレス」
・  増設ノード装置６２-eの機能や、稼働の形態を示す「種別情報」（増設ノードの機種であってもよい。）
隣接ノード装置６２-Nは、このような「ハローパケット」を受信すると、伝送区間６１-(N-1)を介してノード装置６２-(N-1)宛に、その「ハローパケット」を転送する（図３(1)、図６(2))。
【００４４】
さらに、この「ハローパケット」は、ノード装置６２-(N-1)〜６１-1によって順次先行する伝送区間６１-(N-2)〜６１-1および通信リンク６３を介して行われる中継処理の下で、網管理装置６４に伝達される（図６(3))。
網管理装置６４では、その「ハローパケット」が所定の基準に基づいて正規であるか否かを判別し、その判別の結果が真である場合には、下記の処理を行う。
【００４５】
・  この「ハローパケット」に含まれる「位置情報」、「アドレス」および「種別情報」を自動的に記述のデータベースに登録する（図５(1)、図６(4))。
・  上述した「種別情報」に適応した機能や性能が増設ノード装置６２-eに具備されるために、その増設ノード装置６２-eに与えられるべき情報（以下、単に「属性情報」という。）を生成する（図５(2)、図６(5))。
【００４６】
・  増設ノード装置６２-e宛に、この「属性情報」を送出する（図５(3)、図６(6))。
・  増設ノード装置６２-eを現用の要素として系構成に組み込まれ、かつ管理の対象とする（図５(4)、図６(7))。
・  増設ノード装置６２-eを示すアイコン（オブジェクト)(以下、「新規アイコン」という。）を生成する（図５(5)、図６(8))。
【００４７】
・  既設のノード装置６２-1〜６２-Nを個別に示すアイコンと共に、上述した新規アイコンを所定の表示端末の画面に表示する（図５(6)、図６(9))。
・  操作者が所定のＧＵＩ(Graphic User Interface)に基づいて行う操作に応じて、上記の画面上における新規アイコンのレイアウトの変更と、隣接ノード装置６２-Nを示すアイコンとこの新規アイコンとの連結とにかかわる表示の変更を支援する（図５(7)、図６(10))。
【００４８】
すなわち、増設ノード装置６２-eは、その増設ノード装置６２-eに直近の隣接ノード装置６２-Nと、この隣接ノード装置６２-Nに順次隣接するノード装置６２-(N-1)〜６１-1とが網管理装置６４と連係することによって、自動的にその網管理装置６４によって系構成に組み込まれ、かつ自局の稼働に供されるべき「属性情報」を取得できる。
【００４９】
このように本実施形態によれば、増設ノード装置６２-eと網管理装置６４とがそれぞれ設置されたサイトでは、作業員が連係して複雑な作業が行うことわれることなく、その増設ノード装置６２-eの稼働が円滑に、かつ効率的に開始される。
さらに、網管理装置６４およびノード装置６２-1〜６２-Nの構成が大幅に変更されることなく、ノード装置の増設や移設にかかわる作業の省力化とコスト  タウンとが図られ、総合的な信頼性、サービス品質およびランニングコストの向上が図られる。
【００５０】
以下、図３〜図６および図１１を参照して本発明の第二の実施形態の動作を説明する。
隣接ノード装置６２-Nの主記憶または外部記憶の所定の記憶領域には、自局に直結された伝送区間を介して対向する直近の他のノード装置に個別に対応し、かつ下記のフィールドを有するレコードの集合として構成された隣接ノードテーブル５１を有する。
【００５１】
・  該当する他のノード装置（以下、符号を伴わない文言「隣接ノード装置」として表記する。）に付与された「装置番号」が格納されるべき「装置番号」フィールド
・  「隣接ノード装置」に付与されたユニークな「ＮＳＡＰアドレス」が格納されるべき「アドレス」フィールド
本発明の特徴は、隣接ノード装置６２-Nによって行われる下記の処理の手順にある。
【００５２】
増設ノード装置６２-eは、始動時には、既述の第一の実施形態と同様に、伝送区間６２-Nを介して隣接ノード装置６２-N宛に、「ハローパケット」を送出する（図４(1)、図６(1))。
隣接ノード装置６２-Nは、このような「ハローパケット」を識別すると、下記の処理を行う。
【００５３】
・  隣接ノードテーブル５１に格納された有効なレコードに、この「ハローパケット」に含まれる「装置番号」と「アドレス」とがそれぞれ「装置番号」フィールドの値と「アドレス」フィールドとの値に等しいレコードがあるか否か判別する（図３(a)、図６(a))。
・  この判別の結果が偽である場合に限って、これらの「装置番号」と「アドレス」とを隣接ノードテーブル５１の空のレコードに登録し（図３(b))、かつ伝送区間６１-(N-1)を介してノード装置６２-(N-1)宛に、その「ハローパケット」を転送する（図３(1)、図６(b))。
【００５４】
なお、このような「ハローパケット」が網管理装置６４に伝達されるためにノード装置６２-1〜６２-(N-1)によって行われる処理と、その網管理装置６４によってこの「ハローパケット」に施される処理との手順については、既述の第一の実施形態と同じであるので、ここでは、その説明を省略する。
また、隣接ノード装置６２-Nは、既存の隣接ノード装置について個別に隣接ノードテーブル５１に登録されている有効なレコード（正規の「装置番号」および「アドレス」が登録されている。）については、該当する隣接ノード装置の稼働の停止、障害の発生、系構成からの除外その他の事象が発生したことを網管理装置６４との連係の下で識別したときに、適宜削除する。
【００５５】
すなわち、隣接ノード装置６２-Nは、自局に隣接する既存のノード装置の何れにも該当せず、かつ新規に増設された増設ノード装置６２-eによって送出された「ハローパケット」に限って、他のノード装置と連係することによって、あるいは単独で網管理装置６４に引き渡す。
このように本実施形態によれば、既存の隣接ノード装置から反復して送信される「ハローパケット」が網管理装置６４に無用に引き渡されることが回避され、かつ伝送区間６１-(N-1)〜６１-1および通信リンク６３の伝送帯域は有効なトラヒックの伝送に効率的に適用される。
【００５６】
したがって、本実施形態では、既述の第一の実施形態に比べて、ノード装置６２-1〜６２-Nおよび増設ノード装置６２-eや伝送区間６１-(N-1)〜６１-1に何らかの障害が発生した場合であっても、信頼性とサービス品質とが高く維持される。
なお、本実施形態では、隣接ノード装置６２-Nは、既述の「ハローパケット」に応じて隣接ノードテーブル５１を参照し、その隣接ノードテーブル５１に登録されていない増設ノード装置６２-eから送出された「ハローパケット」に限って、網管理装置６４に引き渡している。
【００５７】
しかし、本発明はこのような構成に限定されず、例えば、隣接ノード装置６２-Nが自立的に所定の頻度や周期で下記の処理を行うことによって、上述した「ハローパケット」を何ら送出しないノード装置が増設ノード装置６２-eとして増設された場合であっても、その増設ノード装置６２-eの始動に応じた系構成への組み込みおよび「属性情報」の提供の契機が確実に識別されてもよい。
【００５８】
以下、図５および図１１を参照して本発明の第三の実施形態について説明する。
本実施形態の特徴は、網管理装置６４によって行われる下記の処理の手順にある。
網管理装置６４は、増設ノード装置６２-eによって送出され、かつ引き渡された「ハローパケット」が既述の基準に基づいて正規であることを識別した場合には、下記の処理を行う。
【００５９】
・  この「ハローパケット」に含まれる「位置情報」、「アドレス」および「種別情報」を所定の端末を介して操作者に通知する（図５(a)) 。
・  これらの「位置情報」、「アドレス」および「種別情報」で示される増設ノード装置６２-eが系構成に組み込まれ、かつ稼働を開始することの可否の問い合わせをその操作者に対して行う（図５(b))。
【００６０】
・  この問い合わせに対する操作者の応答を待ち受け、その応答が「系構成に対する組み込みと稼働とが許可されない旨」の応答である場合には、以下の処理を省略する。
・  しかし、この応答が「系構成に対する組み込みと稼働とが許容される旨」の応答である場合には、上述した「種別情報」に適応した機能や性能が増設ノード装置６２-eに具備されるために、その増設ノード装置６２-eに与えられることが望ましい情報（以下、単に「属性情報」という。）を生成する（図５(2))。
【００６１】
・  さらに、上述した端末を介して、その「属性情報」の内、更新されるべき事項と、この「属性情報」に付加されるべき事項との双方もしくは何れか一方の指定にかかわるマンマシンインタフェースをとる（図５(c))。
・  このようなマンマシンインタフェースに基づいて「属性情報」の全ての項目が確定したときに、上述した「位置情報」、「アドレス」および「種別情報」（確定された「属性情報」に適応する事項が付加されてもよい。）を自動的に記述のデータベースに登録する（図５(d))。
【００６２】
・  以下、既述の第一の実施形態と同様の手順（図５(3)〜(7))に基づいて処理を行う。
すなわち、系構成に対する増設ノード装置６２-eの組み込みと、その増設ノード装置６２-eの稼働との許否の判断に併せて、この増設ノード装置６２-eの稼働に際して適用されるべき「属性情報」の適正化が操作者の意図に応じて自在に図られる。
【００６３】
したがって、本実施形態によれば、増設ノード装置６２-eの始動に際して行われるべき保守や運用にかかわる作業の省力化および簡略化に併せて、その保守や運用に携わる要員の意図に対する柔軟な適用が可能となる。
なお、本実施形態では、系構成に対する増設ノード装置６２-eの組み込みと、その増設ノード装置６２-eの稼働との許否の判断に併せて、この増設ノード装置６２-eの稼働に際して適用されるべき「属性情報」の適正化の全てにかかわるマンマシンインタフェースがとられている。
【００６４】
しかし、本発明はこのような構成に限定されず、これらの項目の一部のみにかかわるマンマシンインタフェースがとられることによって、網管理装置６４の負荷や処理量の軽減に併せて、保守や運用の効率化が図られてもよい。
図１０は、本発明の第四の実施形態の動作を説明する図である。
【００６５】
以下、図５、図１０および図１１を参照して本発明の第四の実施形態について説明する。
本実施形態の特徴は、網管理装置６４によって行われる下記の処理の手順にある。
網管理装置６４は、既述の第一および第二の実施形態と同様に、増設ノード装置６２-e宛に「属性情報」を送出する（図５(3))と共に、この増設ノード装置６２-eを現用の要素として系構成に組み込み、かつ管理の対象とした（図５(4))後には、下記の処理を行う。
【００６６】
・  隣接ノード６２-Nを示す既存のアイコン（以下、「隣接アイコン」という。）に連結され、かつ増設ノード装置６２-eを示すオブジェクトであるアイコン(以下、「新規アイコン」という。）を生成する（図５(A))。
・  既設のノード装置６２-1〜６２-(N-1)を個別に示すアイコンおよび「隣接アイコン」と共に、図１０に破線で示すように、上述した「新規アイコン」を所定の表示装置の画面に表示する（図５(B))。
【００６７】
・  操作者が所定のＧＵＩ(Graphic User Interface)に基づいて行う操作に応じて、図１０に一点鎖線で示すように、上記の画面上におけるこれらの「隣接アイコン」と「新規アイコン」との連結状態を維持しつつ、その「新規アイコン」（必要であれば、既設のノード装置６２-1〜６２-(N-1)を個別に示すアイコンと「隣接アイコン」との全てまたは一部）のレイアウトの変更にかかわる表示の変更を支援する（図５(C))。
【００６８】
すなわち、増設ノード装置６２-eの増設に応じて変更された系構成は上述した画面にほぼ自動的に表示され、さらに、最新の系構成を示し、かつ連結されたアイコンのレイアウトの変更は、操作者によって行われるべき作業が最小限度に抑えられつつ柔軟に自在に、かつ効率的に達成される。
したがって、本実施形態によれば、保守および運用にかかわる作業の簡略化および省力化がさらに進められ、かつランニングコストの削減に併せて、サービス品質および信頼性の総合的な向上が図られる。
【００６９】
なお、本実施形態では、「隣接アイコン」と「新規アイコン」との連結状態の維持に併せて、その「新規アイコン」のレイアウトの変更の双方にかかわる支援がマンマシンインタフェースの過程で図られている。
しかし、本発明はこのような構成に限定されず、例えば、「隣接アイコン」と「新規アイコン」との連結状態については、これらのアイコンのレイアウトの変更の過程で適宜解除されることによって、マンマシンインタフェースの多様性が確保され、あるいは網管理装置６４の負荷の軽減が図られてもよい。
【００７０】
また、上述した各実施形態では、隣接ノード装置６２-Nは、自局が明示的に宛先として設定され、かつ増設ノード装置６２-eによって送出された「ハローパケット」に応じて、既述の処理（図６(a)、(b)、(1))を行っている。
しかし、このような処理は、宛先が自局以外の装置（「網管理装置６４」に該当しなくてもよい。）に設定され、かつ上述した「ハローパケット」に該当するフレームやデータグラムが隣接ノード装置６２-Nによって積極的に識別された時点で起動されることによって、本発明の適用が可能な網の通信手順その他の多様な構成に対する適応が柔軟に図られてもよい。
【００７１】
さらに、上述した各実施形態では、ＩＰパケットの伝送に供される無線伝送系に本発明が適用されている。
しかし、本発明は、このような無線伝送系に限定されず、例えば、下記のように、如何なる転送方式、多元接続方式および通信手順が適用された有線伝送性や光伝送系にも同様に適用可能である。
【００７２】
・  ＳＴＭ(Synchronous Transfer Mode)が適用され、かつ無手順の有線伝送系（光伝送系を含む。）
・  ＳＤＨ以外のハイアラキに属し、所定のフレーム構成に基づいて多元接続が行われる有線伝送系（光伝送系を含む。）や無線伝送系
また、上述した各実施形態では、既設の伝送区間の末端に配置されたノード装置６２-Nに隣接し、かつ増設された増設ノード装置６２-eの始動に際して行われるべき保守や運用の作業の省力化を目的として、本発明が適用されている。
【００７３】
しかし、本発明は、このような増設ノード装置６２-eが既設の伝送区間の中間に増設される場合であっても、既述の隣接ノード装置６２-Nに該当するノード装置がその増設ノード装置６２-eおよび網管理装置６４と確実に連係することができる限り、同様に適用可能である。
さらに、このような場合には、増設ノード装置に後続する伝送区間を介して隣接するノード装置にかかわる情報が収集され、かつ網管理装置６４によって識別されるために行われる処理は、これらのノード装置との如何なる連係の下で行われてもよい。
【００７４】
また、上述した各実施形態では、網管理装置６４と隣接ノード装置６２-Nおよび増設ノード装置６２-eとの間における種々の情報の引き渡しは、これらの網管理装置６４から隣接ノード装置６１-1〜６２-Nを介して増設ノード装置６２-eに至る区間に敷設され、かつ本来的な伝送サービスの提供に供されるべきリンクを介して行われている。
【００７５】
しかし、本発明はこのような構成に限定されず、例えば、これらのリンクの全てまたは一部は、網管理装置６４との間に別途敷設された所望のリンクであってもよい。
さらに、このようなリンクについては、如何なる伝送方式、通信手順、多元接続方式が適用されてもよい。
【００７６】
また、上述した各実施形態では、ノード装置６２-1〜６２-Nおよび増設ノード装置６２-eによって行われる通信制御については、何ら具体的に既述されていない。
しかし、このような通信制御については、本発明の特徴ではなく、かつ多様な公知技術の適用の下で実現が可能であるので、ここでは、その記述を省略する。
【００７７】
さらに、上述した各実施形態では、ノード装置６２-1〜６２-Nおよび増設ノード装置６２-eと網管理装置６４との間では、コネクションレス型の通信路を介して既述の「ハローパケット」その他の情報が引き渡されている。
しかし、本発明はこのような構成に限定されず、例えば、「ハローパケット」の伝送に先行して通信セッションを別途確立することによって、その伝送に必要な資源を予め確保するコネクション型の通信路がノード装置６２-1〜６２-Nおよび増設ノード装置６２-eと網管理装置６４との間に形成されてもよい。
【００７８】
また、上述した各実施形態では、系構成に組み込まれたノード装置を個別に示すアイコン（オブジェクト）がその系構成に適応した形態で連結されることによってなる帳票として、この系構成が表示されている。
しかし、このようにして表示される情報には、例えば、新規アイコンの詳細な属性と、増設ノード装置６２-eの保守・運用に供されるべき情報との何れが視覚情報として含まれ、あるいは付加されてもよい。
【００７９】
さらに、本発明は、上述した実施形態に限定されるものではなく、本発明の範囲において、多様な形態による実施形態が可能であり、かつ構成装置の一部もしくは全てに如何なる改良が施されてもよい。
以下、上述した各実施形態に開示された発明の構成を階層的・多面的に整理し、かつ付記項として順次列記する。
【００８０】
（付記１）  隣接するノード１０-1〜１０-Nとの間に個別に形成されたリンクとのインタフェースをとるインタフェース手段１１と、
前記インタフェース手段１１および前記リンクを介するトラヒックの伝送にかかわる通信制御を行う通信制御手段１２と、
前記隣接するノード１０-1〜１０-Nの内、始動したノードからそのノードを示す識別子が受信されたときに、通信リンク１３を介して網管理装置１４宛にその識別子を通知する通知手段１５と
を備えたことを特徴とするノード装置。
【００８１】
（付記２）  隣接するノード１０-1〜１０-Nとの間に個別に形成されたリンクとのインタフェースをとるインタフェース手段１１と、
前記インタフェース手段１１および前記リンクを介するトラヒックの伝送にかかわる通信制御を行う通信制御手段１２と、
前記隣接するノード１０-1〜１０-Nの始動を所定の頻度で監視し、これらのノード１０-1〜１０-Nの何れかの始動が識別されたときに、通信リンク１３を介して網管理装置１４宛にそのノードを示す識別子を通知する通知手段１５Ａと
を備えたことを特徴とするノード装置。
【００８２】
（付記３）  隣接するノード１０-1〜１０-Nとの間に個別に形成されたリンクとのインタフェースをとるインタフェース手段１１と、
前記インタフェース手段１１および前記リンクを介するトラヒックの伝送にかかわる通信制御を行う通信制御手段１２と、
前記隣接するノード１０-1〜１０-Nの内、既存のノードの識別子が格納された記憶手段１６と、
前記隣接するノード１０-1〜１０-Nの内、始動したノードからそのノードを示す識別子が受信されたときに、この識別子が前記記憶手段１６に格納されているか否かを判別し、その判別の結果が偽であるときに、通信リンク１３を介して網管理装置１４宛にこの識別子を通知する通知手段１５Ｂと
を備えたことを特徴とするノード装置。
【００８３】
（付記４）  隣接するノード１０-1〜１０-Nとの間に個別に形成されたリンクとのインタフェースをとるインタフェース手段１１と、
前記インタフェース手段１１および前記リンクを介するトラヒックの伝送にかかわる通信制御を行う通信制御手段１２と、
前記隣接するノード１０-1〜１０-Nの内、既存のノードの識別子が格納された記憶手段１６と、
前記隣接するノード１０-1〜１０-Nの始動を所定の頻度で監視し、これらのノード１０-1〜１０-Nの何れかの始動が識別されたときに、このノードを示す識別子が前記記憶手段１６に格納されているか否かを判別し、その判別の結果が偽であるときに、通信リンク１３を介して網管理装置１４宛にこの識別子を通知する通知手段１５Ｃと
を備えたことを特徴とするノード装置。
【００８４】
（付記５）  付記１ないし付記４の何れか１項に記載のノード装置において、
前記隣接するノード１０-1〜１０-Nの内、始動したノードを示す情報の宛先は、
前記ノード装置以外の装置に設定され、
前記通知手段１５、１５Ａ、１５Ｂ、１５Ｃは、
前記宛先の如何にかかわらず前記始動したノードを示す識別子を識別する
ことを特徴とするノード装置。
【００８５】
（付記６）  網２０に備えられた第一のノード２１によって通知された識別子に応じて、その識別子で示され、この第一のノード２１に隣接する第二のノード２２をその網２０の系構成に組み込む系構成手段２３と、
前記系構成手段２３によって前記網２０の系構成に組み込まれた全てのノードを管理する管理手段２４とを備え、
前記系構成手段２３は、
前記第一のノード２１によって前記識別子が通知されたときに、その旨に併せて、この識別子に応じて更新された前記網２０の系構成を操作者に通知する
ことを特徴とする網管理装置。
【００８６】
（付記７）  付記６に記載の網管理装置において、
前記系構成手段２３は、
前記網２０の系構成の更新の許否を前記操作者に問い合わせ、その結果に従う
ことを特徴とする網管理装置。
（付記８）  付記７に記載の網管理装置において、
前記系構成手段２３は、
前記網２０の系構成の更新が前記操作者によって許容されたときに、その操作者によって与えられた情報をこの系構成の更新に適用する
ことを特徴とする網管理装置。
【００８７】
（付記９）  付記６ないし付記８の何れか１項に記載の網管理装置において、
前記系構成手段２３は、
前記第一のノードを示す第一のオブジェクトと、その第一のオブジェクトの近傍に配置され、かつ前記網２０の系構成に組み込まれた第二のノードを示す第二のオブジェクトとからなる視覚情報を出力する
ことを特徴とする網管理装置。
【００８８】
（付記１０）  付記９に記載の網管理装置において、
前記系構成手段２３は、
前記第二のオブジェクトを前記第一のオブジェクトに連結されたオブジェクトとして出力する
ことを特徴とする網管理装置。
【００８９】
（付記１１）  付記１０に記載の網管理装置において、
前記系構成手段２３は、
前記第一のオブジェクトと前記第二のオブジェクトとの連結を維持しつつ、これらのオブジェクトの相対位置の変更を可能とするマンマシンインタフェースをとる
ことを特徴とする網管理装置。
【００９０】
【発明の効果】
上述したように本発明では、ノードの故障、障害からの復旧、増設および移設に適応した保守や運用にかかわる作業の大幅な簡略化と効率化とが図られる。
また、本発明では、故障や障害から復旧し、または増設され、もしくは移設されたノード装置の多様な機能や機種に対する適応が確度高く達成され、このようなノードの保守や運用にかかわる作業の簡略化と効率化とが柔軟に図られる。
【００９１】
さらに、本発明では、故障や障害から復旧し、または増設され、もしくは移設されたノード装置が何らかの要因により無用に反復してそのノード装置の識別子を送出する場合であっても、網管理装置の過負荷に併せて、これらのノードの間に形成されたリンクの輻輳が確度高く回避される。
また、本発明では、故障や障害から復旧し、または増設され、もしくは移設されたノードが通知手段によって行われる監視に応じて際限なく反復してそのノードの識別子を送出する場合であっても、網管理装置の過負荷に併せて、これらのノードの間に形成されたリンクの輻輳が確度高く回避される。
【００９２】
また、本発明では、ノードの故障や障害からの復旧、増設および移設に適応した保守や運用にかかわる作業の大幅な簡略化と効率化とが図られる。
さらに、本発明では、網管理装置によって系構成に組み込まれ、かつ資源として管理され得るノードの構成や仕様の拡大が図られる。
【００９３】
また、本発明では、系構成の更新が全面的に自動的に行われる場合に比べて、保守や運用にかかわる作業の形態に対する柔軟な適応が可能となる。
さらに、本発明では、保守や運用にかかわる作業の形態に対する柔軟な適応がさらに図られる。
【００９４】
また、本発明では、第二のノードは、新たに系構成に組み込まれたときには、その第二のノードに実体的に隣接する第一のリンクとの関連性にほぼ忠実な系構成として視覚的に示される。
さらに、本発明では、第二のノードが新たに系構成に組み込まれた後に、系構成を示す視覚情報が修正される確率やその視覚情報の修正にかかわる作業の削減が図られる。
【００９５】
また、本発明では、保守や運用にかかわる作業の簡略化および効率化に併せて、工数の削減が図られる。
したがって、これらの発明が適用された網や伝送系では、基本的な構成が大幅に変更されることなく、安価に総合的な信頼性およびサービス品質が高められる。
【図面の簡単な説明】
【図１】  本発明に関連した第１ないし第４の技術が適用されたノード装置の原理ブロック図である。
【図２】  本発明に関連した第５の技術が適用された網管理装置の原理ブロック図である。
【図３】本発明の第一および第二の実施形態における隣接ノードの動作フローチャートである。
【図４】本発明の第一および第二の実施形態における増設ノードの動作フローチャートである。
【図５】本発明の第一ないし第四の実施形態における網管理装置の動作フローチャートである。
【図６】本発明の第一および第二の実施形態の動作を説明する図である。
【図７】系構成テーブルの構成を示す図である。
【図８】属性情報テーブルの構成を示す図である。
【図９】隣接ノードテーブルの構成を示す図である。
【図１０】本発明の第四の実施形態の動作を説明する図である。
【図１１】網管理装置の配下で作動するノードが備えられた網の一例を示す図である。
【図１２】従来例の動作を説明する図である。
【符号の説明】
１０  ノード
１１  インタフェース手段
１２  通信制御手段
１３，６３  通信リンク
１４，６４  網管理装置
１５，１５Ａ，１５Ｂ，１５Ｃ  通知手段
１６  記憶手段
２０  網
２１  第一のノード
２２  第二のノード
２３  系構成手段
２４  管理手段
４１  系構成テーブル
４２  属性情報テーブル
５１  隣接ノードテーブル
６１  伝送区間
６２  ノード装置
【図１】
0003845004.tif 000002
【図２】
0003845004.tif 000003
【図３】
0003845004.tif 000004
【図４】
0003845004.tif 000005
【図５】
0003845004.tif 000006
【図６】
0003845004.tif 000007
【図７】
0003845004.tif 000008
【図８】
0003845004.tif 000009
【図９】
0003845004.tif 000010
【図１０】
0003845004.tif 000011
【図１１】
0003845004.tif 000012
【図１２】
0003845004.tif 000013